(57)【要約】【課題】規制エリアの外に出た場合や、規制エリア内でも規制の解除が必要な場合に、携帯端末にかけられた規制を解除することができる技術を提供すること。【解決手段】規制エリア２００の内側に設置した第一の送信機１２０Ａから送信される規制信号を受信すると通信等の機能が規制され、その外側に設置した第二の送信機１２０Ｂから送信される規制解除信号を受信するとその規制が解除されるようにされた携帯端末１００であって、この携帯端末１００は、手動で規制を解除することができる解除機能を有しているが、規制エリアの中に設置した第三の送信機１２０Ｃから送信される手動規制解除規制信号を受信している場合には、その解除機能が使用できなくなる。【選択図】図３
2007194875.tif 000002
【特許請求の範囲】
【請求項１】
規制エリアの出入口に設置され、第一の信号を送信する第一の送信機と、
前記規制エリアに対して前記第一の送信機よりも外側の位置に設置され、第二の信号を送信する第二の送信機と、
前記第一の信号を受信することにより特定の機能の使用が規制され、前記第二の信号を受信することにより規制された前記特定の機能の使用が解除される携帯端末と、
を備える使用規制システムであって、
前記規制エリアの内側には、第三の信号を送信する第三の送信機がさらに設置されており、
前記携帯端末には、前記第二の信号を受信することなく、規制された前記特定の機能の使用を解除することができる解除手段が設けられており、
前記解除手段は、前記第三の信号を受信している場合には、規制された前記特定の機能の使用を解除することができないようにされていること、
を特徴とする使用規制システム。
【請求項２】
第一の信号を受信することにより特定の機能の使用が規制され、第二の信号を受信することにより規制された機能の使用が解除される携帯端末であって、
前記第二の信号を受信することなく、規制された前記特定の機能の使用を解除することができる解除手段が設けられており、
前記解除手段は、前記第三の信号を受信している場合には、規制された前記特定の機能の使用を解除することができないようにされていること、
を特徴とする携帯端末。
【請求項３】
第一の信号を受信することにより特定の機能の使用が規制され、第二の信号を受信すること又は特定の操作を行うことにより規制された機能の使用が解除される携帯端末の使用規制方法であって、
前記特定の操作が行われた場合に、
第三の信号を受信しているかいないかを検知する過程と、
前記第三の信号を受信していない場合に、前記第二の信号を受信することなく、規制された前記特定の機能の使用を解除する過程と、
を備えること、
を特徴とする使用規制方法。
【発明の詳細な説明】
【技術分野】
【０００１】
本発明は、携帯端末の使用を規制する技術に関する。
【背景技術】
【０００２】
携帯端末の使用を規制する技術として、特許文献１に記載された技術がある。
【０００３】
特許文献１に記載された技術は、携帯端末の使用を規制する規制エリアの出入口の内側と外側に送信機を設置し、携帯端末のユーザがその規制エリアに入る場合、その規制エリアの内側に設置されている送信機からの信号を携帯端末が受信することにより、携帯端末の電源がオフにされ、携帯端末のユーザがその規制エリアから出る場合、その規制エリアの外側に設置されている送信機からの信号を携帯端末が受信することにより、携帯端末の電源がその規制エリアに入る前の状態に復帰するようにされている。
【０００４】
【特許文献１】特開平９−１０９３００号公報
【発明の開示】
【発明が解決しようとする課題】
【０００５】
特許文献１に記載された技術では、通話機能が制限されている携帯端末は、規制を解除するための信号を受信しなければ携帯端末の電源を入れることができず、例えば、規制を解除するための信号を送信する送信機が故障等した場合や災害時等においてその送信機が設置されていない場所から避難した場合のように、規制を解除するための信号を受信することができないときに携帯端末の電源を入れることができず不便であった。
【０００６】
また、災害時等において規制エリアの内部においても携帯端末の利用が必要な場合がある。
【０００７】
そこで、本発明は、規制エリアの外に出た場合や、規制エリア内でも規制の解除が必要な場合に、携帯端末にかけられた規制を解除することができる技術を提供することを目的とする。
【課題を解決するための手段】
【０００８】
以上の課題を解決するため、本発明は、携帯端末にかけられた規制を解除するための規制解除手段を携帯端末に設け、規制の解除を制限するための信号を携帯端末が受信していない場合には、そのような規制解除手段により携帯端末にかけられた規制を解除することができるようにした。
【０００９】
例えば、本発明は、規制エリアの出入口に設置され、第一の信号を送信する第一の送信機と、前記規制エリアに対して前記第一の送信機よりも外側の位置に設置され、第二の信号を送信する第二の送信機と、前記第一の信号を受信することにより特定の機能の使用が規制され、前記第二の信号を受信することにより規制された前記特定の機能の使用が解除される携帯端末と、を備える使用規制システムであって、前記規制エリアの内側には、第三の信号を送信する第三の送信機がさらに設置されており、前記携帯端末には、前記第二の信号を受信することなく、規制された前記特定の機能の使用を解除することができる解除手段が設けられており、前記解除手段は、前記第三の信号を受信している場合には、規制された前記特定の機能の使用を解除することができないようにされていること、を特徴とする。
【発明の効果】
【００１０】
以上のように、本発明によれば、規制の解除を制限するための信号を携帯端末が受信していない場合には、規制解除手段により携帯端末にかけられた規制を解除することができるため、規制の解除を制限するための信号が届かない場所に携帯端末が移動した場合や、携帯端末への規制を管理する管理者が、規制の解除を制限するための信号の送信を止めた場合に、携帯端末のユーザは、携帯端末にかけられた規制を解除することができるようになる。
【発明を実施するための最良の形態】
【００１１】
図１は、本発明の実施形態における携帯端末１００の概略図である。
【００１２】
図示するように、携帯端末１００は、アンテナ１０１と、無線通信部１０２と、制御部１０３と、記憶部１０８と、入力部１１２と、出力部１１３と、を備えている。
【００１３】
無線通信部１０２は、アンテナ１０１を介して無線による音声やデータの送受信を行うための通信処理を行う。
【００１４】
制御部１０３は、携帯端末１００の制御を行い、本実施形態においては、通信制御部１０４と、規制制御部１０５と、モード制御部１０６と、電源制御部１０７と、を備えている。
【００１５】
通信制御部１０４は、音声通信やパケット通信に関する処理を制御する。
【００１６】
ここで、本実施形態における通信制御部１０４は、アンテナ１０１を介して後述する送信機１２０から送信された規制信号又は規制解除信号を受信した場合には、無線通信部１０２においてこれらの信号から規制情報又は規制解除情報を復号して後述する規制制御部１０５に出力する。
【００１７】
また、通信制御部１０４は、後述する規制制御部１０５から手動解除規制信号の受信要求を受けた場合には、アンテナ１０１を介して手動解除規制信号を受信する制御を行う。
【００１８】
そして、手動解除規制信号を受信することができた場合には、無線通信部１０２においてこの手動解除規制信号から手動解除規制情報を復号して、規制制御部１０５に出力する。一方、手動解除規制信号を受信することができない場合には、手動解除規制信号を受信することができない旨を規制制御部１０５に通知する。
【００１９】
さらに、通信制御部１０４は、通信の発着信の要求を受けた際に、発着信の要求を受けた旨を後述する規制制御部１０５に送り、規制制御部１０５の指令に応じて、発着信の制御を行う。
【００２０】
規制制御部１０５は、携帯端末１００になされる規制を制御する。具体的には、下記のような制御を行う。
【００２１】
まず、規制制御部１０５は、規制情報又は規制解除情報を受けた場合には、これらの規制情報又は規制解除情報から規制ルールを特定する。そして、特定された規制ルールと、後述する記憶部１０９の規制ルール記憶領域１０９に記憶されている規制ルールと、を比較して、これらが異なるルールであるときは、規制ルール記憶領域１０９に記憶されている規制ルールを削除して、特定した規制ルールを記憶する。
【００２２】
なお、本実施形態においては、規制情報に含まれている規制ルールは、「マナーモード」、「通話規制」、「通信規制」又は「電源オフ」であり、規制解除情報に含まれている規制ルールは、「規制無し」であるが、これらのルールに限定されるわけではない。
【００２３】
ここで、規制ルールの「マナーモード」は、音声通信やデータ通信の着信があった場合に、後述する出力部１１３から着信音を鳴らさないルールである。
【００２４】
規制ルールの「通話規制」は、音声通信をできないようにするルールであり、音声通信以外のメールなどのデータ通信は可能となる。
【００２５】
規制ルールの「通信規制」は、音声通信及びデータ通信の両方ともできないようにするルールである。
【００２６】
規制ルールの「電源オフ」は、携帯端末１００の電源をオフにするルールである。
【００２７】
規制ルールの「規制無し」は、携帯端末１００の機能を制限しないルールである。なお、規制ルールが「規制無し」となっている場合であっても、例えば、携帯端末１００のユーザの指示でマナーモード等の設定がなされている場合にはその設定に基づいて処理が行われる。
【００２８】
そして、規制制御部１０５は、規制ルール記憶領域１０９に「電源オフ」の規制ルールを記憶した場合には、後述する電源制御部１０７に携帯端末１００の電源をオフにするように指示を出す。
【００２９】
また、規制制御部１０５は、規制ルール記憶領域１０９に「規制無し」の規制ルールを記憶した場合には、後述する事前情報記憶領域１１１に記憶されている情報により特定される設定となるように、後述するモード制御部１０６及び電源制御部１０７に指示を出す。
【００３０】
さらに、規制制御部１０５は、規制ルール記憶領域１０９に「規制無し」の規制ルールから他の規制ルールに更新する場合には、更新する前に状態情報記憶領域１１０に記憶されている情報を事前情報記憶領域１１１に保存する。
【００３１】
規制制御部１０５は、携帯端末１００のユーザが後述する入力部１１２を介して手動解除指示を出した場合には、通信制御部１０４に手動解除規制信号の受信指示を出す。そして、規制制御部１０５は、通信制御部１０４から手動解除規制情報を受けた場合には、規制を解除する処理を行わずに、処理を終了する。一方、通信制御部１０４から手動解除規制信号を受信することができない旨の通知を受けた場合には、後述する事前情報記憶部１１１に記憶されている情報により特定される設定となるように、後述するモード制御部１０６及び電源制御部１０７に指示を出し、規制ルール記憶領域１０９に記憶されている規制ルールを「規制無し」に更新する。
【００３２】
さらに、規制制御部１０５は、通信制御部１０４から発着信の要求を受けた旨の通知を受けた場合には、規制ルール記憶領域１０９に記憶されている規制ルールに従った処理を行うように、通信制御部１０４に指示を出す。
【００３３】
ここで、規制ルール記憶領域１０９に記憶されている規制ルールが「通話規制」の場合には、通信制御部１０４が受けた発着信要求が音声通信であるときには、そのような発着信の要求を受けないように通信制御部１０４に指示を出し、発着信要求が音声通信以外のデータ通信であるときには、そのような発着信の要求を受けるように通信制御部１０４に指示を出す。
【００３４】
また、規制ルール記憶領域１０９に記憶されている規制ルールが「通信規制」である場合には、通信制御部１０４に対してそのような発着信の要求を受けないように指示を出す。
【００３５】
さらに、規制ルール記憶領域１０９に記憶されている規制ルールが「規制無し」である場合には、通信制御部１０４に対してそのような発着信の要求を受けるように指示を出す。
【００３６】
なお、規制ルール記憶領域１０９に記憶されている規制ルールが「電源オフ」である場合には、そもそも携帯端末１００の電源がオフになっているため、通信制御部１０４において発着信の要求を受け付けない。
【００３７】
また、規制制御部１０５は、後述するモード制御部１０６からマナーモードの設定をオフにする要求があった旨の通知を受けた場合には、規制ルール記憶領域１０９に記憶されている規制ルールを読み出し、その規制ルールが「マナーモード」のときには、マナーモードの設定をオフにしないようにモード制御部１０６に指示を出す。一方、その規制ルールが「マナーモード」ではないときには、マナーモードの設定をオフにするようにモード制御部１０６に指示を出す。
【００３８】
さらに、規制制御部１０５は、後述する電源制御部１０７から電源をオンにする要求があった旨の通知を受けた場合には、規制ルール記憶領域１０９に記憶されている規制ルールを読み出し、その規制ルールが「電源オフ」のときには、電源をオンにしないように電源制御部１０７に指示を出す。一方、その規制ルールが「電源オフ」ではないときには、電源をオンにするように電源制御部１０７に指示を出す。
【００３９】
モード制御部１０６は、携帯電話１００のユーザの指示又は規制制御部１０５の指示により、携帯端末１００においてマナーモードの設定をオン又はオフにする制御を行う。ここで、上述のように、マナーモードがオンに設定されていると、音声やメール等の着信があった場合に、後述する出力部１１３から着信音を鳴らさないようにする。
【００４０】
なお、本実施形態では、モード制御部１０６は、携帯端末１００のユーザが後述する入力部１１２を介してマナーモードの設定をオフにする指示を入力した場合には、規制制御部１０５にマナーモードの設定をオフにする要求があった旨の通知を送り、規制制御部１０５からの指示に応じた処理を行う。
【００４１】
ここで、規制制御部１０５は、規制ルール記憶領域１０９に「マナーモード」の規制ルールがある場合には、マナーモードの設定をオンのままにするようモード制御部１０６に指令を出し、その他の場合には、マナーモードの設定をオフにするようモード制御部１０６に指令を出す。
【００４２】
また、モード制御部１０６は、マナーモードの設定をオン又はオフに変更した場合には、変更後の設定を後述する状態情報記憶領域１１０に記憶する。
【００４３】
電源制御部１０７は、携帯電話１００のユーザの指示又は規制制御部１０５の指示により、携帯端末１００の電源のオン又はオフを制御する。
【００４４】
なお、本実施形態では、電源制御部１０７は、携帯端末１００のユーザが後述する入力部１１２を介して電源をオンにする指示を入力した場合には、規制制御部１０５に電源をオンにする要求があった旨の通知を送り、規制制御部１０５からの指示に応じた処理を行う。
【００４５】
ここで、規制制御部１０５は、規制ルール記憶領域１０９に「電源オフ」の規制ルールがある場合には、電源をオフのままにするよう電源制御部１０７に指令を出し、その他の場合には、電源をオンにするよう電源制御部１０７に指令を出す。
【００４６】
また、電源制御部１０７は、電源をオン又はオフに変更した場合には、変更後の設定を後述する状態情報記憶領域１１０に記憶する。
【００４７】
さらに、本実施形態では、電源制御部１０７は、電源がオフにされていても本発明における規制の制御を行うために、アンテナ１０１、無線通信部１０２、制御部１０３及び記憶部１０８への電気の供給は継続する。
【００４８】
また、本実施形態では、図示してはいないが、携帯端末１００に備える電源につき、携帯端末１００から取り外し可能なバッテリと、携帯端末１００から取り外すことのできない予備バッテリと、を備えるようにすることで、携帯端末１００からバッテリを取り外した状態でも、本発明における規制の制御を行うために、予備バッテリからアンテナ１０１、無線通信部１０２、制御部１０３及び記憶部１０８へ電気を供給することができるようにしている。
【００４９】
記憶部１０８には、規制ルール記憶領域１０９と、状態情報記憶領域１１０と、事前情報記憶領域１１１と、が設けられている。
【００５０】
規制ルール記憶領域１０９には、規制制御部１０５の指示に応じて、規制ルールを記憶する。なお、規制のルールを更新する場合には、以前の規制ルールを削除してから新しい規制ルールを記憶する。
【００５１】
状態情報記憶領域１１０には、モード制御部１０６の指示に応じてマナーモードのオン又はオフの情報と、電源制御部１０７の指示に応じて電源のオン又はオフの情報と、をそれぞれ記憶する。なお、これらの情報を更新する場合には、既に記憶されているそれぞれの情報を削除してから新しい情報を記憶する。
【００５２】
事前情報記憶領域１１１には、規制制御部１０５の指示に応じて、状態情報記憶領域１１０に記憶されている情報を記憶する。なお、これらの情報を更新する場合にも、既に記憶されているそれぞれの情報を削除してから新しい情報を記憶する。
【００５３】
入力部１１２は、操作ボタンやマイク等の入力装置である。
【００５４】
出力部１１３は、スピーカやディスプレイ等の出力装置である。
【００５５】
図２は、本発明の実施形態における送信機１２０の概略図である。
【００５６】
図示するように、送信機１２０は、記憶部１２１と、制御部１２４と、入力部１２５と、表示部１２６と、規制信号送信部１２７と、規制解除信号送信部１２８と、手動解除規制信号送信部１２９と、アンテナ１３０と、を備えている。
【００５７】
記憶部１２１は、規制情報記憶領域１２２と、稼動情報記憶領域１２３と、を備えている。
【００５８】
規制情報記憶領域１２２には、各規制ルール及び手動解除規制情報のデータが記憶されている。ここで、前述のように、本実施形態における規制ルールは、「マナーモード」、「通話規制」、「通信規制」、「電源オフ」及び「規制無し」であるが、これらに限定されるわけではなく、この記憶領域に記憶する規制ルールについては、追加、削除、変更することが可能である。
【００５９】
稼動情報記憶領域１２３には、自送信機１２０で送信する信号の種類、規制ルール及び信号強度に関するデータを記憶する。なお、本実施形態における信号の種類は、規制信号、規制解除信号及び手動解除規制信号である。
【００６０】
制御部１２４は、後述する入力部１２５を介して指示された規制ルール又は手動解除規制情報を後述する信号送信部１２７、１２８、１２９を介して所定の信号に乗せて、入力部１２５を介して指示された信号強度で送信する。
【００６１】
ここで、制御部１２４は、後述する入力部１２５を介して、「マナーモード」、「通話規制」、「通信規制」又は「電源オフ」の規制ルールを送信することを指示された場合には、規制信号送信部１２７を介して、これらのデータを規制信号として送信する。
【００６２】
なお、これらの規制ルールについては、複数の規制ルールを規制信号として送信することも可能である。例えば、「マナーモード」と「通話規制」の規制ルールを規制信号として送信することにより、このような規制信号を受信した携帯端末１００では、データ通信の着信があった場合に、着信音を出力部１１３から鳴らさないように設定される。
【００６３】
また、制御部１２４は、後述する入力部１２５を介して、「規制無し」の規制ルールを送信することを指示された場合には、規制解除信号送信部１２８を介して、このデータを規制解除信号として送信する。
【００６４】
さらに、制御部１２４は、後述する入力部１２５を介して、手動解除規制情報を送信することを指示された場合には、手動解除規制信号送信部１２９を介して、このデータを手動解除規制信号として送信する。
【００６５】
規制信号送信部１２７は、制御部１２４からの指示に応じて、制御部１２４が指示するデータを規制信号としてアンテナ１３０を介して送信する処理を行う。
【００６６】
規制解除信号送信部１２８は、制御部１２４からの指示に応じて、「規制無し」を示すデータを規制解除信号としてアンテナ１３０を介して送信する処理を行う。
【００６７】
手動解除規制信号送信部１２９は、制御部１２４からの指示に応じて、手動解除規制情報を示すデータを手動解除規制信号としてアンテナ１３０を介して送信する処理を行う。
【００６８】
なお、規制信号送信部１２７、規制解除信号送信部１２８及び手動解除規制信号送信部１２９から送信する信号は全て異なる周波数のものを用い、規制信号送信部１２７及び規制解除信号送信部１２８から送信する信号は、一方向に対して充分な指向性を有するものを用いることが望ましい。
【００６９】
さらに、規制信号送信部１２７、規制解除信号送信部１２８及び手動解除規制信号送信部１２９から送信する信号は、ペースメーカ、医療機器等、身の回りの電気機器の誤動作を引き起こさない周波数及び信号強度を選択する。
【００７０】
以上のように構成される本実施形態における携帯端末１００及び送信機１２０は、図３に示すようにして使用される。
【００７１】
まず、携帯端末１００の利用を規制する部屋等の規制エリア２００の出入口２０１の内側と外側にそれぞれ第一の送信機１２０Ａ及び第二の送信機１２０Ｂを設置する。
【００７２】
また、規制エリア２００の中に第三の送信機１２０Ｃを設置する。
【００７３】
そして、規制エリア２００の内側に設置された第一の送信機１２０Ａからは規制信号を送信するようにし、規制エリア２００の外側に設置された第二の送信機１２０Ｂからは規制解除信号を送信するようにする。
【００７４】
このように、規制信号を送信する第一の送信機１２０Ａと規制解除信号を送信する第二の送信機１２０Ｂは、隣接して設置されることが多いため、これらの送信機１２０から送信される規制信号及び規制解除信号は、一方向に対して充分な指向性を有するものを用いることが望ましい。
【００７５】
また、規制エリア２００の中に設置されている第三の送信機１２０Ｃからは、手動解除規制信号を送信するようにする。
【００７６】
なお、第三の送信機１２０Ｃから送信する手動解除規制信号は、規制エリア２００の全体に達するように送信し、規制エリア２００が広い場合には複数の送信機１２０から手動解除規制信号を送信して規制エリア２００の全体に手動解除規制信号が送信されるようにする。
【００７７】
この点、本実施形態では、第一の送信機１２０Ａから送信される規制信号を携帯端末１００で受信して規制がかけられていなければ、第三の送信機１２０Ｃから送信される手動解除規制信号を受信しても携帯端末１００では何の制限もかからないため、第三の送信機１２０Ｃから送信する手動解除規制信号は、規制エリア２００からはみ出ていても何の問題もない。
【００７８】
このようにして第一の送信機１２０Ａ、第二の送信機１２０Ｂ及び第三の送信機１２０Ｃが設置されている規制エリア２００に携帯端末１００を持ち込んだ場合には、携帯端末１００は、第一の送信機１２０Ａから送信されている規制信号に含まれている規制ルールに基づいて、利用が規制されている。そして、このような利用の規制を解除しようとしても第三の送信機１２０Ｃから手動規制解除規制信号が送信されている限り、このような規制を解除することはできない。
【００７９】
ここで、規制エリア２００の管理者等が規制エリア２００内における携帯端末１００の利用を可能にする場合には、第三の送信機１２０Ｃからの手動規制解除規制信号の送信を止めることにより、携帯端末１００のユーザが手動で規制の解除指示を行うことで、携帯端末１００の規制を解除することができる。
【００８０】
また、規制エリア２００から携帯端末１００を持ち出した場合には、携帯端末１００は、第二の送信機１２０Ｂから送信されている規制解除信号に含まれている規制ルールに基づいて、規制が解除される。
【００８１】
なお、第二の送信機１２０Ｂが故障等して、この第二の送信機１２０Ｂからの規制解除信号を携帯端末１００で受信することができなかった場合であっても、第三の送信機１２０Ｃからの手動規制解除規制信号の送信エリアから出ることで、携帯端末１００のユーザが手動で規制の解除指示を行い、携帯端末１００の規制を解除することができる。
【００８２】
以上のように構成される携帯端末１００が規制信号を受信した際の処理を図４に示すフローチャートを用いて説明する。
【００８３】
携帯端末１００は、アンテナ１０１を介して規制信号を受信すると（Ｓ２００）、無線通信部１０２において受信した規制信号から規制情報を復号する（Ｓ２０１）。
【００８４】
無線通信部１０２で復号された規制情報は、通信制御部１０４を介して規制制御部１０５に送られ、規制制御部１０５は、送られてきた規制情報から規制ルールを特定し、記憶部１０８の規制ルール記憶領域１０９に記憶されている規制ルールと比較して、両者が一致するか否かを判定する（Ｓ２０２）。
【００８５】
そして、両者が一致する場合には（Ｓ２０２）、処理を終了する。
【００８６】
一方、両者が一致しない場合には（Ｓ２０２）、規制ルール記憶領域１０９に記憶されている規制ルールを新たに送られてきた規制ルールに書き換えることで、規制ルールを更新する（Ｓ２０３）。
【００８７】
そして、規制制御部１０５は、規制ルール記憶領域１０９に記憶された規制ルールが「マナーモード」の場合には（Ｓ２０４）、状態情報記憶領域１１０に記憶されている情報を事前情報記憶領域１１１に記憶して（Ｓ２０５）、モード制御部１０６にマナーモードの設定をするように指示を出し、そのような指示を受けたモード制御部１０６は、マナーモードの設定を行う（Ｓ２０６）。
【００８８】
一方、規制制御部１０５は、規制ルール記憶領域１０９に記憶された規制ルールが「マナーモード」ではなく（Ｓ２０４）、「電源オフ」である場合には（Ｓ２０７）、状態情報記憶領域１１０に記憶されている情報を事前情報記憶領域１１１に記憶して（Ｓ２０８）、電源制御部１０７に電源をオフにするように指示を出し、そのような指示を受けた電源制御部１０７は、電源をオフに設定する（Ｓ２０９）。
【００８９】
また、規制制御部１０５は、規制ルール記憶領域１０９に記憶された規制ルールが「マナーモード」ではなく（Ｓ２０４）、「電源オフ」でもない場合には（Ｓ２０７）、処理を終了する。
【００９０】
図５は、携帯端末１００が規制解除信号を受信した際の処理を示すフローチャートである。
【００９１】
携帯端末１００は、アンテナ１０１を介して規制解除信号を受信すると（Ｓ２１０）、無線通信部１０２において受信した規制解除信号から規制解除情報を復号する（Ｓ２１１）。
【００９２】
無線通信部１０２で復号された規制解除情報は、通信制御部１０４を介して規制制御部１０５に送られ、規制制御部１０５は、送られてきた規制解除情報から規制ルールを特定し、記憶部１０８の規制ルール記憶領域１０９に記憶されている規制ルールと比較して、両者が一致するか否かを判定する（Ｓ２１２）。
【００９３】
そして、両者が一致する場合には（Ｓ２１２）、処理を終了する。
【００９４】
一方、両者が一致しない場合には（Ｓ２１２）、規制ルール記憶領域１０９に記憶されている規制ルールを新たに送られてきた規制ルールに書き換えることで、規制ルールを更新する（Ｓ２１３）。
【００９５】
そして、規制制御部１０５は、事前情報記憶領域１１１に記憶されている情報を読み出して（Ｓ２１４）、読み出した情報に対応する設定となるようにモード制御部１０６及び電源制御部１０７に指示を出して、規制前の設定に復帰する処理を行う（Ｓ２１５）。
【００９６】
図６は、携帯端末１００において手動で規制を解除する際の処理を示すフローチャートである。
【００９７】
携帯端末１００の入力部１１２を介して手動規制解除指令がユーザより入力されると（Ｓ２２０）、規制制御部１０５は、規制ルール記憶領域１０９に記憶されている規制ルールが「規制無し」である場合には（Ｓ２２１）、処理を終了する。
【００９８】
一方、規制ルール記憶領域１０９に記憶されている規制ルールが「規制無し」ではない場合には（Ｓ２２１）、規制制御部１０５は、通信制御部１０４に手動解除規制信号の受信指令を出し、アンテナ１０１を介して無線通信部１０２が手動解除規制信号を受信することができた場合には（Ｓ２２２）、規制制御部１０５は、規制の解除を行わずに処理を終了する。
【００９９】
また、無線通信部１０２が手動解除規制信号を受信することができなかった場合には（Ｓ２２２）、規制ルール記憶領域１０９に記憶されている規制ルールを「規制無し」に更新し（Ｓ２２３）、事前情報記憶領域１１１に記憶されている情報を読み出して（Ｓ２２４）、読み出した情報に対応する設定となるようにモード制御部１０６及び電源制御部１０７に指示を出して、規制前の設定に復帰する処理を行う（Ｓ２２５）。
【０１００】
以上に記載した実施形態においては、規制ルールを特定するための規制情報又は規制解除情報を送信機１２０から携帯端末１００に送信するようにされているが、このような態様に限定されず、例えば、規制ルール毎に異なる周波数を用いることで、これらのルールを携帯端末１００において識別することができるようにすることも可能である。
【図面の簡単な説明】
【０１０１】
【図１】携帯端末１００の概略図。
【図２】送信機１２０の概略図。
【図３】携帯端末１００及び送信機１２０の使用例を示す概略図。
【図４】携帯端末１００が規制信号を受信した際の処理を示すフローチャート。
【図５】携帯端末１００が規制解除信号を受信した際の処理を示すフローチャート。
【図６】携帯端末１００において手動で規制を解除する際の処理を示すフローチャート。
【符号の説明】
【０１０２】
１００  携帯端末
１０５  規制制御部
１０９  規制ルール記憶領域
１１１  事前情報記憶領域
１２０  送信機
１２７  規制信号送信部
１２８  規制解除信号送信部
１２９  手動解除規制信号送信部
【図１】
2007194875.tif 000003
【図２】
2007194875.tif 000004
【図３】
2007194875.tif 000005
【図４】
2007194875.tif 000006
【図５】
2007194875.tif 000007
【図６】
2007194875.tif 000008